(57)【要約】【課題】  キャリアウェブ上に設けられるグリップタブ付きラベルであって、キャリアウェブを破損することなく製造可能なものを提供すること。【解決手段】  本発明は、対象物に適用された後に、この対象物から全面的または部分的に除去することが可能である粘着ラベルに関する。このラベルを除去するために非粘着性または低粘着性を有するグリップタブが設けられている。この発明は、キャリアウェブ上に設けられるこのラベルが少なくともグリップタブ領域に設けられた材料片によってその下面が補強されている点に特徴がある。【選択図】  図２
2008293027.tif 000002
【特許請求の範囲】
【請求項１】
粘着性を有さないように作られているか、または低粘着性を有し、少なくとも一つの上部フィルム層(202,302)およびグリップタブを有するラベル(201、301)であり、
キャリアウェブ上に設けられており、
その底面、少なくともグリップタブ領域にあたる底面が材料片(205b、305)によって補強されており、
当該材料片がキャリアウェブの部分によって形成されていないラベル。
【請求項２】
材料片(205b)が、上部フィルム層(202)下のさらなるフィルム層(205aおよび205b)の一部であることを特徴とする請求項１に記載のラベル。
【請求項３】
材料片(205b)がフィルム部(205a)に直接に隣接して位置することを特徴とする請求項２に記載のラベル。
【請求項４】
材料片(205b、305)に、接着剤の粘着性を低減または無効にする媒介物が含まれることを特徴とする請求項１乃至請求項３の何れか一項に記載のラベル。
【発明の詳細な説明】
【発明の詳細な説明】
【０００１】
本発明は、対象物に張り付けられた後に、再びこの対象物から全面的または部分的に除去することが可能である粘着ラベルに関する。グリップタブは、非粘着性または低粘着性であり、粘着ラベルを対象物から後に除去することを目的として提供される。
【０００２】
このタイプのラベルは、医薬品業界においては、例えば容器などを識別するために使用されている。当該ラベルまたはその一部は、証票として患者のカルテに張り付けるために、容器またはラベル残部から分離できるようになっている。グリップタブとは、ラベルまたはその一部の分離をより容易にするために使用され、ラベルの外縁または当該ラベルの一部の外縁に位置し、そして、その粘着力が低減されているか、または無効にされているものである。ユーザは、この部分をつかんで、ラベル全体またはその一部を除去することができる。
【０００３】
特に医薬品分野においては、例えば手術中に滅菌プラスチック製手袋でラベル全体またはその部分をつかんで除去する必要が頻繁にあるので、このタイプのグリップタブは便利なエイドである。この目的のために、安定して、かつ容易につかむことが可能なグリップタブを設ける必要がある。この目的は、本発明によれば、非粘着性または低粘着性の、ラベル下部の材料片によって達成される。
【０００４】
さらに、ラベルを施す際、ラベルには、複雑な問題なしにラベルを対象物に貼り付けることができるプロパティが含まれていることが極めて重要である。従って、ラベルを無損傷の材料ウェブ上に提供することが必須となる。
【０００５】
図1（ａ）および（ｂ）は、関連技術によるこのタイプのラベルのデザインを示す。本発明の好適な2実施例は、図２および図３に記載した。
【０００６】
図１（ａ）は、関連技術によるラベル101を示す。領域108aの打抜き加工は、キャリアウェブ108上で行われる。ラベル101には、少なくとも一つのフィルム層102および一つの接着被覆103が含まれる。
【０００７】
図１（ｂ）は、対象物109上に張り付けられた状態の同一 ラベル101を示す。この場合には、キャリアウェブの打抜かれた領域108aが、キャリアウェブ残部からのラベル101と共に除去されること、そしてこの複合材がことごとく対象物109上に貼り付けられることが観察されるであろう。
【０００８】
このために、本ラベルの108a領域には、基材に対する接着結合力がない。従って、グリップタブに相当するこの領域においては、ラベル101を容易につかむことが可能であるので、当該ラベルを対象物109から再び除去することが可能となる。
【０００９】
図のように、図１（ａ）（ｂ）において見られるラベル構造には、キャリア材料が破損されるという決定的な欠点がある。このために、急速運転の分配機を用いたラベルの自動分配は、さらにいっそう困難となる。加えて、キャリア材料108aの打抜き加工部に粘着性を持たせることは許されない。以上の点から、特に平坦でない対象物上に張り付ける際には、グリップタブが自然に容易に突出する。
【００１０】
図１（ａ）に類似するラベル構造を、本発明の好適な第1実施例を示す図２（ａ）に示した: この場合、ラベル201もキャリアウェブ208上に位置させる。この構造には、少なくとも一つの上部フィルム層202およびその下に位置する第1接着被覆203が含まれる。本ラベルは、この層より下で二等分に分割する:
【００１１】
この図の左では、リリースコーティング204が、接着被覆203下でフィルム部205aに貼り付けられている。第2接着被覆206は、フィルム部205a下に位置させる。204のようなリリースコーティングは、通常はシリコンエナメルでできており、それを用いると、その上に位置する接着被覆の接着力を正確に設定することができる。
【００１２】
図２（ａ）の右側では、通常にはフィルム205を2部分(205aおよび205b)に打抜き加工することによって製造された材料片205bが、第1接着被覆203の直下に位置する。また、底面に接着効果207を無効または低減するための媒介物を設けた接着被覆206もこの下に位置する。このようにして、関連技術と同じような、少なくとも低粘着性を有するグリップタブが作成される。
【００１３】
認知されるように、図示したラベル構造は、キャリア材料208を破損することなく製造された。従って、ラベル201は、容器のような対象物上に複雑な問題なしに自動的に施すことが可能である。図１（ｂ）の手順と同じように、この対象物から再びラベルの一部を除去するには、層207の下をつかみ、そして上部フィルム層202、第1接着被覆203、材料片205b、およびその下に位置する(複数)層でできている複合材を除去する。この複合材は、それが患者カルテのような対象物209上に再び張り付けられている図２（ｂ）に示した。
【００１４】
ラベル201の製造は、生産過程中の打抜き加工の介入によって区別される。接着被覆206および媒介物207を始めとした、接着効果を低減または無効にするフィルム層205の貼付後、フィルム層205を、リリースコーティング204と共に左記に示した側に設ける。さらに、キャリアを打ち抜くことなしに、フィルム層205を打ち抜き加工する。このようにして、フィルム部205aと材料片205bを互いに直接に隣接するように位置させる。打抜き加工後のみに限って、接着剤203を有する上部フィルム202を複合材に積層する。
【００１５】
もとより、本明細書に記載した本発明の好適な第1実施例においては、この場合、上部フィルム層202の別部分がフィルム部205a上に残存し、リリースコーティング204がこの領域に置き残され、そして上部フィルム層202の打抜き加工が必要となるように、本ラベルの上部層の一部のみを、グリップタブを有する除去可能な証票として設けることも可能である。
【００１６】
本発明の好適な第2実施例を図３に示した。ラベル301は、ここでキャリアウェブ308上に設ける。これは基本的には1層構造であるが、適当な領域は2層構造となる。フィルム層302を、接着剤303を用いてキャリアウェブ308に貼り付ける。さらなる層305をグリップエイドとして適当な領域の下部に位置させる。この層を適用し、下部に施すことによって、例えば、キャリアウェブを破損することなく、グリップエイドを再び設けることができる。
【図面の簡単な説明】
【００１７】
【図１】（ａ）は関連技術によるグリップタブ付きラベルを示した図であり、（ｂ）は対象物上に張り付けられた状態の（ａ）に示したラベルを示した図である。
【図２】（ａ）は本発明の第１実施形態に係るグリップタブ付きラベルを示した図であり、（ｂ）は対象物上に張り付けられた状態の（ａ）に示したラベルを示した図である。
【図３】本発明の第２実施形態に係るグリップタブ付きラベルを示した図である。
【図１】
2008293027.tif 000003
【図２】
2008293027.tif 000004
【図３】
2008293027.tif 000005
【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
キャリアウェブ(208)上に設けられて、粘着性を有さないように作られているか又は低粘着性を有するグリップタブを有するラベル(201)であって、
下側面に少なくとも部分的に第１接着被覆(206)が形成された第１フィルム層(205)と、
前記第１フィルム層の上に位置し、下側面に少なくとも部分的に第２接着被覆(203)が形成された第２フィルム層(202)と、
を備え、
前記第１フィルム層が、前記グリップタブに対応する第１部分(205b)と前記グリップタブに対応しない第２部分(205a)とに分割されていて、前記第１フィルム層の前記第１部分が前記グリップタブを補強していて、
前記第１フィルム層の前記第２部分は、上側面に剥離被覆(204)が形成され、
前記第１フィルム層の前記第１部分の領域における前記第１接着被覆の接着効果が媒介物(207)を使用して低減又は無効にされた、ラベル。
【請求項２】
請求項１に記載のラベルにおいて、
前記第１フィルム層の前記第１部分は、前記第１フィルム層の前記第２部分に直接隣接して並んで位置するラベル。
【請求項３】
キャリアウェブ(208)上に設けられて、粘着性を有さないように作られているか又は低粘着性を有するグリップタブを有するラベル(201)を製造する方法であって、
下側面に少なくとも部分的に第１接着被覆(206)が形成された第１フィルム層(205)を提供し、
前記第１フィルム層の前記グリップタブに対応する第１部分(205b)の領域における前記第１接着被覆の接着効果を、接着効果を低減又は無効にする媒介物(207)を使用して低減又は無効にし、
前記第１フィルム層を前記キャリアウェブ上に貼り付け、
前記第１フィルム層の前記グリップタブに対応しない第２部分(205a)の領域における前記第１フィルム層の上側面に剥離被膜(204)を形成し、
前記キャリアウェブを打ち抜くことなく前記第１フィルム層を打ち抜いて、前記第１フィルム層を前記第１部分と前記第２部分とに分割し、
前記第１フィルム層の上に、下側面に少なくとも部分的に第２接着被覆(203)が形成された第２フィルム層(202)を配置する、
ことを含む方法。
【手続補正２】
【補正対象書類名】明細書
【補正対象項目名】００１６
【補正方法】変更
【補正の内容】
【００１６】
本発明に関連する参考例を図３に示した。ラベル301は、ここでキャリアウェブ308上に設ける。これは基本的には1層構造であるが、適当な領域は2層構造となる。フィルム層302を、接着剤303を用いてキャリアウェブ308に貼り付ける。さらなる層305をグリップエイドとして適当な領域の下部に位置させる。この層を適用し、下部に施すことによって、例えば、キャリアウェブを破損することなく、グリップエイドを再び設けることができる。
【手続補正３】
【補正対象書類名】明細書
【補正対象項目名】００１７
【補正方法】変更
【補正の内容】
【００１７】
【図１】（ａ）は関連技術によるグリップタブ付きラベルを示した図であり、（ｂ）は対象物上に張り付けられた状態の（ａ）に示したラベルを示した図である。
【図２】（ａ）は本発明の第１実施形態に係るグリップタブ付きラベルを示した図であり、（ｂ）は対象物上に張り付けられた状態の（ａ）に示したラベルを示した図である。
【図３】本発明に関連する参考例に係るグリップタブ付きラベルを示した図である。